(57)【要約】  【課題】  操作性を従来より向上することができる入力処理装置を提供する。  【解決手段】  情報再生装置１０は、アプリケーションプログラム等を実行するＣＰＵ１３と、ポインティングデバイスとしてのマウス１９とを備え、ＣＰＵ１３は、マウス１９から位置を入力し、所定の期間間隔でマウス１９から入力した位置に基づいてマウス１９による入力角度を決定し、決定したマウス１９による入力角度に対応付けられたコマ数で映像のコマ送り又はコマ戻しを実行する。【選択図】  図１
2006072745.tif 000002
【特許請求の範囲】
【請求項１】
ポインティングデバイスから位置を入力する位置入力手段と、前記位置入力手段によって所定の期間間隔で入力された前記位置に基づいて前記ポインティングデバイスによる入力角度を決定する入力角度決定手段と、前記入力角度決定手段によって決定された前記入力角度に対応付けられた処理を実行する処理実行手段とを備えたことを特徴とする入力処理装置。
【請求項２】
前記入力角度決定手段によって決定された前記入力角度に基づいて前記ポインティングデバイスによる入力状態を表示する状態表示手段を備えたことを特徴とする請求項１に記載の入力処理装置。
【請求項３】
前記入力角度決定手段は、前記位置入力手段によって入力された少なくとも３つの前記位置に基づいて前記入力角度を決定することを特徴とする請求項１に記載の入力処理装置。
【請求項４】
前記入力角度及び前記処理の対応付けを変更する対応付け変更手段を備え、
前記処理は、情報のコマ送り及びコマ戻しの少なくとも一方であり、
前記入力角度は、前記コマ送り及び前記コマ戻しの少なくとも一方のコマ数に対応付けられたことを特徴とする請求項１に記載の入力処理装置。
【請求項５】
前記処理は、ＭＰＥＧの映像の再生であり、
前記状態表示手段は、前記処理実行手段によって再生されているフレームがＩフレーム、Ｂフレーム及びＰフレームの何れであるかということと、前記入力状態とを同一の図形によって表示することを特徴とする請求項２に記載の入力処理装置。
【請求項６】
ポインティングデバイスから位置を入力する位置入力手段と、前記位置入力手段によって所定の期間間隔で入力された前記位置に基づいて前記ポインティングデバイスによる入力角度を決定する入力角度決定手段と、前記入力角度決定手段によって決定された前記入力角度に対応付けられた処理を実行する処理実行手段としてコンピュータを機能させることを特徴とする入力処理プログラム。
【発明の詳細な説明】
【技術分野】
【０００１】
本発明は、ポインティングデバイスによる入力に応じた処理を実行する入力処理装置に関するものである。
【背景技術】
【０００２】
従来の入力処理装置は、映像情報や音声情報のコマ送り、コマ戻し、早送り等の処理に対応したボタンを配置したグラフィカルユーザインタフェース（以下「ＧＵＩ」という）を表示しており、ポインティングデバイスによって移動可能なカーソルがコマ送り、コマ戻し、早送り等の処理に対応したボタンに合わせられているときにポインティングデバイスのクリックボタンが押されることによって、コマ送り、コマ戻し、早送り等の処理を実行するようになっている（例えば、特許文献１参照）。
【特許文献１】特開２００２−２４７５０４号公報（第６頁、第１２図）
【発明の開示】
【発明が解決しようとする課題】
【０００３】
しかしながら、従来の入力処理装置においては、映像情報や音声情報のコマ送り再生をするときに、コマ送りのコマ数と同じ回数だけポインティングデバイスによってボタンを選択する必要があるので、非常に煩雑であるという問題があった。
【０００４】
本発明は、従来の問題を解決するためになされたもので、操作性を従来より向上することができる入力処理装置を提供することを目的とする。
【課題を解決するための手段】
【０００５】
本発明の入力処理装置は、ポインティングデバイスから位置を入力する位置入力手段と、前記位置入力手段によって所定の期間間隔で入力された前記位置に基づいて前記ポインティングデバイスによる入力角度を決定する入力角度決定手段と、前記入力角度決定手段によって決定された前記入力角度に対応付けられた処理を実行する処理実行手段とを備えた構成を有している。
【０００６】
この構成により、本発明の入力処理装置は、ポインティングデバイスによる入力角度に応じた処理を実行することができるので、操作性を従来より向上することができる。
【０００７】
また、本発明の入力処理装置は、前記入力角度決定手段によって決定された前記入力角度に基づいて前記ポインティングデバイスによる入力状態を表示する状態表示手段を備えた構成を有している。
【０００８】
この構成により、本発明の入力処理装置は、ポインティングデバイスによる入力状態を利用者に視認させることができるので、ポインティングデバイスによる入力状態を利用者に視認させることができない場合と比較して、操作性を向上することができる。
【０００９】
また、本発明の入力処理装置は、前記入力角度決定手段は、前記位置入力手段によって入力された少なくとも３つの前記位置に基づいて前記入力角度を決定する構成を有している。
【００１０】
この構成により、本発明の入力処理装置は、入力角度を決定するために使用できる位置の自由度を向上することができるので、操作性をより向上することができる。
【００１１】
また、本発明の入力処理装置は、前記入力角度及び前記処理の対応付けを変更する対応付け変更手段を備え、前記処理は、情報のコマ送り及びコマ戻しの少なくとも一方であり、前記入力角度は、前記コマ送り及び前記コマ戻しの少なくとも一方のコマ数に対応付けられた構成を有している。
【００１２】
この構成により、本発明の入力処理装置は、入力角度に対応付けられたコマ送り及びコマ戻しの少なくとも一方のコマ数を利用者に変更させることができるので、操作性をより向上することができる。
【００１３】
また、本発明の入力処理装置は、前記処理は、ＭＰＥＧの映像の再生であり、前記状態表示手段は、前記処理実行手段によって再生されているフレームがＩフレーム、Ｂフレーム及びＰフレームの何れであるかということと、前記入力状態とを同一の図形によって表示する構成を有している。
【００１４】
この構成により、本発明の入力処理装置は、操作中のフレームがＩフレーム、Ｂフレーム及びＰフレームの何れであるかということを、ポインティングデバイスによる入力状態とともに利用者に認識させることができる。
【００１５】
また、本発明の入力処理プログラムは、ポインティングデバイスから位置を入力する位置入力手段と、前記位置入力手段によって所定の期間間隔で入力された前記位置に基づいて前記ポインティングデバイスによる入力角度を決定する入力角度決定手段と、前記入力角度決定手段によって決定された前記入力角度に対応付けられた処理を実行する処理実行手段としてコンピュータを機能させる構成を有している。
【００１６】
この構成により、本発明の入力処理プログラムは、ポインティングデバイスによる入力角度に応じた処理をコンピュータに実行させることができるので、コンピュータの操作性を従来より向上することができる。
【発明の効果】
【００１７】
本発明は、操作性を従来より向上することができる入力処理装置を提供することができるものである。
【発明を実施するための最良の形態】
【００１８】
以下、本発明の一実施の形態について、図面を用いて説明する。
【００１９】
まず、本実施の形態に係る入力処理装置の構成について説明する。
【００２０】
図１に示すように、本実施の形態に係る入力処理装置としての情報再生装置１０は、オペレーティングシステム（以下「ＯＳ」という）やアプリケーションプログラム等のプログラムやＧＵＩで使用する表示用の図形データを格納したハードディスク記憶装置（以下「ＨＤＤ」という）１１と、ＯＳの一部等を記憶したＲＯＭ（Ｒｅａｄ  Ｏｎｌｙ  Ｍｅｍｏｒｙ）１２と、ＨＤＤ１１やＲＯＭ１２に記憶されたＯＳに従ったシステム制御やＨＤＤ１１に記憶されたアプリケーションプログラム等を実行するＣＰＵ（Ｃｅｎｔｒａｌ  Ｐｒｏｃｅｓｓｉｎｇ  Ｕｎｉｔ）１３と、ＣＰＵ１３が実行するためにＨＤＤ１１から読み出されたプログラムやＣＰＵ１３が演算したデータ等のＣＰＵ１３に対する入出力データを格納するＲＡＭ（Ｒａｎｄｏｍ  Ａｃｃｅｓｓ  Ｍｅｍｏｒｙ）１４と、情報の表示を行うＣＲＴ（Ｃａｔｈｏｄｅ  Ｒａｙ  Ｔｕｂｅ）１５と、ＬＡＮ（ローカルエリアネットワーク）等で接続している他のコンピュータとの間で情報を送受信する入出力インタフェース（Ｉ／Ｏ）１６と、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）をローディングしてＣＤやＤＶＤから各種情報を読み出すＣＤ／ＤＶＤドライブ１７と、文字情報やＣＰＵ１３に対する動作指示等を入力するキーボード１８と、ＣＲＴ１５の表示画面の特定位置を指定することによって指定した位置に表示されている情報に関連する動作命令、文字、数値等を入力するポインティングデバイスとしてのマウス１９とを備えており、汎用のパーソナルコンピュータによって構成されている。なお、ＧＵＩ用の入力処理プログラムは、ＯＳやアプリケーションプログラムに含まれている。
【００２１】
ここで、ＣＰＵ１３は、マウス１９から位置を入力するようになっており、位置入力手段を構成している。また、ＣＰＵ１３は、所定の期間間隔でマウス１９から入力した位置に基づいてマウス１９による入力角度を決定するようになっており、入力角度決定手段を構成している。また、ＣＰＵ１３は、例えば、決定した入力角度に基づいてＭＰＥＧ（Ｍｏｔｉｏｎ  Ｐｉｃｔｕｒｅ  Ｅｘｐｅｒｔｓ  Ｇｒｏｕｐ）の映像のコマ送り又はコマ戻しという処理を実行するようになっており、処理実行手段を構成している。また、ＣＰＵ１３は、マウス１９による入力角度に対応付けられたコマ送り又はコマ戻しのコマ数を変更するようになっており、対応付け変更手段を構成している。
【００２２】
また、ＣＲＴ１５は、ＣＰＵ１３によって決定されたマウス１９による入力角度に基づいてマウス１９による入力状態を表示するようになっており、状態表示手段を構成している。
【００２３】
次に、情報再生装置１０の動作について説明する。
【００２４】
ＣＰＵ１３は、ＧＵＩ用の入力処理プログラムの実行を開始すると、図２に示すように、ジョグモードがオン状態であるかオフ状態であるかを記憶するためのＲＡＭ１４上のジョグモードフラグをオフに設定し（Ｓ２１）、マウス１９からの入力が有るか否かを判断する（Ｓ２２）。
【００２５】
ＣＰＵ１３は、マウス１９からの入力が無いとＳ２２において判断すると、図３（ａ）に示す初期状態の図形をＣＲＴ１５の表示画面に表示し（Ｓ２３）、Ｓ２１の処理に戻る。
【００２６】
なお、ＣＰＵ１３は、ＧＵＩ用の入力処理プログラムを実行している任意のときにおいて、マウス１９のカーソルを１周回転させたときのコマ送り又はコマ戻しのコマ数（以下「１周コマ数」という）が利用者によってキーボード１８から入力されると、キーボード１８から入力された１周コマ数をＨＤＤ１１に記憶し、ＣＲＴ１５の表示画面上の図３に示す領域３１に表示する。ここで、図３において、領域３１には、１周コマ数として１２が表示されているが、１２以外の数値が１周コマ数として利用者によって設定されたときは、利用者によって設定された数値が１周コマ数として表示される。
【００２７】
ＣＰＵ１３は、マウス１９からの入力が有るとＳ２２において判断すると、ジョグモードがオン状態であるか否かをＲＡＭ１４上のジョグモードフラグによって判断する（Ｓ２４）。
【００２８】
ＣＰＵ１３は、ジョグモードがオフ状態であるとＳ２４において判断すると、ＣＲＴ１５の表示画面上の図３（ａ）に示す領域３２内にマウス１９のカーソルが有るか否かを判断し（Ｓ２５）、領域３２内にカーソルが有るとＳ２５において判断すると、マウス１９のボタンがクリックされたか否かを判断する（Ｓ２６）。
【００２９】
そして、ＣＰＵ１３は、マウス１９のボタンがクリックされたとＳ２６において判断すると、ＲＡＭ１４上のジョグモードフラグをオンに設定し（Ｓ２７）、図３（ｂ）に示すようにジョグモードの開始を表す図形をＣＲＴ１５の表示画面に表示し（Ｓ２８）、Ｓ２２の処理に戻る。なお、図３に示す領域３３内の領域３３ａの色は、ジョグモードがオン状態であるときと、オフ状態であるときとで変更される。
【００３０】
また、ＣＰＵ１３は、領域３２内にカーソルが無いとＳ２５において判断したときと、マウス１９のボタンがクリックされていないとＳ２６において判断したとき、図３（ａ）に示す初期状態の図形をＣＲＴ１５の表示画面に表示し（Ｓ２３）、Ｓ２１の処理に戻る。
【００３１】
また、ＣＰＵ１３は、ジョグモードがオン状態であるとＳ２４において判断すると、マウス１９のボタンがクリックされたか否かを判断する（Ｓ２９）。
【００３２】
そして、ＣＰＵ１３は、マウス１９のボタンがクリックされたとＳ２９において判断すると、図３（ａ）に示す初期状態の図形をＣＲＴ１５の表示画面に表示し（Ｓ２３）、Ｓ２１の処理に戻る。
【００３３】
一方、ＣＰＵ１３は、マウス１９のボタンがクリックされていないとＳ２９において判断したとき、映像のコマ送り又はコマ戻しのコマ数を決定するコマ数決定サブルーチンを実行した後（Ｓ３０）、例えば図３（ｃ）に示すように、Ｓ３０において決定したコマ数に対応して領域３３内の図形を回転させてＣＲＴ１５の表示画面に表示し（Ｓ２８）、Ｓ２２の処理に戻る。なお、１コマ分に対応する領域３３内の図形の回転角度は、ＨＤＤ１１に記憶された１周コマ数で３６０°を割った角度となる。
【００３４】
ここで、Ｓ３０のコマ数決定サブルーチンについて詳細に説明する。
【００３５】
図４に示すように、ＣＰＵ１３は、映像のコマ送り又はコマ戻しのコマ数を決定する計算に使用するデータ（以下「コマ数計算用データ」という）と、１周コマ数とをＨＤＤ１１から読み出す（Ｓ４１）。
【００３６】
ここで、コマ数計算用データは、２期間前のカーソルの位置（以下「前々回位置」という）と、１期間前のカーソルの位置（以下「前回位置」という）と、前々回位置及び前回位置を通る直線の傾き（以下「前回傾き」という）とからなる。例えば、図５に示すように、マウス１９のカーソルが点６１、点６２、点６３の順序で所定の期間間隔で移動し、現在、点６３にあるとき、コマ数計算用データは、前々回位置である点６１の座標と、前回位置である点６２の座標と、点６１及び点６２を通る前回傾きである直線６４の傾きとからなる。
【００３７】
ＣＰＵ１３は、Ｓ４１の実行後、前々回位置が設定されていないか否かを判断する（Ｓ４２）。
【００３８】
そして、ＣＰＵ１３は、前々回位置が設定されていないとＳ４２において判断したとき、現在のカーソルの位置（以下「今回位置」という）と同じ位置を前々回位置としてＨＤＤ１１に記憶し（Ｓ４３）、コマ数決定サブルーチンを終了する。なお、ジョグモードがオフ状態からオン状態に設定されて最初にコマ数決定サブルーチンが実行されるとき、前々回位置や前回位置は設定されていない。
【００３９】
一方、ＣＰＵ１３は、前々回位置が設定されているとＳ４２において判断したとき、前回位置が設定されていないか否かを判断する（Ｓ４４）。
【００４０】
そして、ＣＰＵ１３は、前回位置が設定されていないとＳ４４において判断したとき、前々回位置と同じ位置を前回位置としてＨＤＤ１１に記憶し（Ｓ４５）、ＨＤＤ１１に記憶された前回位置と、今回位置とに基づいて、前回位置と今回位置とを通る直線の傾き（以下「今回傾き」という）を求める（Ｓ４６）。例えば、図５に示すように、ＣＰＵ１３は、前回位置である点６２の座標と、今回位置である点６３の座標とに基づいて、点６２及び点６３を通る今回傾きである直線６５の傾きを求める。
【００４１】
ＣＰＵ１３は、Ｓ４６の実行後、Ｓ４５においてＨＤＤ１１に記憶させた前回位置と、今回位置と、Ｓ４６において求めた今回傾きとを、それぞれ新たな前々回位置、前回位置及び前回傾きとしてＨＤＤ１１に記憶し（Ｓ４７）、コマ数決定サブルーチンを終了する。
【００４２】
また、ＣＰＵ１３は、前回位置が設定されているとＳ４４において判断したとき、ＨＤＤ１１に記憶された前々回位置及び前回位置と、今回位置とに基づいて、これら３つの位置を通る外接円の中心位置を求める（Ｓ４８）。例えば、ＣＰＵ１３は、図５に示すように、前々回位置である点６１の座標及び前回位置である点６２の座標と、今回位置である点６３の座標とに基づいて、これら３つの点を通る外接円６６の中心位置６７を求める。
【００４３】
ＣＰＵ１３は、Ｓ４８の実行後、ＨＤＤ１１に記憶された前回位置と、今回位置と、Ｓ４８において求めた外接円の中心位置とからなる３つの位置に基づいて、外接円の中心位置及び前回位置を通る直線と、外接円の中心位置及び今回位置を通る直線とが成す角度を求める（Ｓ４９）。例えば、ＣＰＵ１３は、図５に示すように、前回位置である点６２の座標、今回位置である点６３の座標及び外接円６６の中心位置６７に基づいて、中心位置６７及び点６２を通る直線６９と、中心位置６７及び点６３を通る直線７０とが成す角度７１を求める。
【００４４】
次いで、ＣＰＵ１３は、Ｓ４１においてＨＤＤ１１から読み出した１周コマ数と、Ｓ４９において求めた角度とに基づいて「数１」に従ってコマ数を求める（Ｓ５０）。なお、「数１」においては、Ｓ４１においてＨＤＤ１１から読み出した１周コマ数をＸ、Ｓ４９において求めた角度をＱとしている。また、「数１」において［］は、ガウス記号である。
【００４５】
【数１】
2006072745.tif 000003
【００４６】
次いで、ＣＰＵ１３は、Ｓ５０において求めたコマ数が０より大きいか否かを判断する（Ｓ５１）。ＣＰＵ１３は、Ｓ５０において求めたコマ数が０であるとＳ５１において判断したとき、コマ数決定サブルーチンを終了する。一方、ＣＰＵ１３は、Ｓ５０において求めたコマ数が０より大きいとＳ５１において判断したとき、ＨＤＤ１１に記憶された前回位置と、今回位置とに基づいて今回傾きを求め（Ｓ５２）、Ｓ５２において求めた今回傾きがＳ４１においてＨＤＤ１１から読み出した前回傾きより小さいか否かを判断する（Ｓ５３）。
【００４７】
そして、ＣＰＵ１３は、今回傾きが前回傾きより小さいとＳ５３において判断したとき、今回傾きが０より小さく、前回傾きが０より大きく、今回傾きの絶対値が１より大きいという３つの条件を全て満たすか否かを判断する（Ｓ５４）。また、ＣＰＵ１３は、今回傾きが前回傾きより小さくないとＳ５３において判断したとき、今回傾きが０より大きく、前回傾きが０より小さく、今回傾きの絶対値が１より小さいという３つの条件を全て満たすか否かを判断する（Ｓ５５）。
【００４８】
ＣＰＵ１３は、今回傾きが０より小さく、前回傾きが０より大きく、今回傾きの絶対値が１より大きいという３つの条件の少なくとも１つの条件を図６に示す状況１のように満たさないとＳ５４において判断したときと、今回傾きが０より大きく、前回傾きが０より小さく、今回傾きの絶対値が１より小さいという３つの条件を図６に示す状況２のように全て満たすとＳ５５において判断したとき、コマ送りと判定し（Ｓ５６）、Ｓ４１においてＨＤＤ１１から読み出した前回位置と、今回位置と、Ｓ５２において求めた今回傾きとを、それぞれ新たな前々回位置、前回位置及び前回傾きとしてＨＤＤ１１に記憶し（Ｓ４７）、コマ数決定サブルーチンを終了する。
【００４９】
また、ＣＰＵ１３は、今回傾きが０より大きく、前回傾きが０より小さく、今回傾きの絶対値が１より小さいという３つの条件の少なくとも１つの条件を図６に示す状況３のように満たさないとＳ５５において判断したときと、今回傾きが０より小さく、前回傾きが０より大きく、今回傾きの絶対値が１より大きいという３つの条件を図６に示す状況４のように全て満たすとＳ５４において判断したとき、コマ戻しと判定し（Ｓ５７）、Ｓ４１においてＨＤＤ１１から読み出した前回位置と、今回位置と、Ｓ５２において求めた今回傾きとを、それぞれ新たな前々回位置、前回位置及び前回傾きとしてＨＤＤ１１に記憶し（Ｓ４７）、コマ数決定サブルーチンを終了する。
【００５０】
以上に説明したように、情報再生装置１０は、マウス１９による入力角度に応じたコマ数で映像のコマ送り又はコマ戻しを実行することができるので、操作性を従来より向上することができる。
【００５１】
また、情報再生装置１０は、ジョグモードがオン状態のとき、マウス１９によるコマ送り又はコマ戻しの操作にマウス１９のクリック操作が不要であるので、マウス１９によるコマ送り又はコマ戻しの操作を利用者に容易に行わせることができる。
【００５２】
また、情報再生装置１０は、ジョグモードがオン状態のとき、ＣＰＵ１３がカーソルの移動を検出する毎に図３に示す図形を更新するので、図３に示す図形によってマウス１９による入力状態を利用者に視認させることができる。したがって、情報再生装置１０は、マウス１９によるコマ送り又はコマ戻しの入力状態を利用者に視認させることができない場合と比較して、操作性を向上することができる。
【００５３】
また、情報再生装置１０は、前々回位置、前回位置及び今回位置という３つの位置に基づいてＣＰＵ１３が入力角度を決定するので、入力角度を決定するために使用できる位置の自由度を向上することができ、操作性をより向上することができる。即ち、情報再生装置１０は、ジョグモードがオン状態のとき、図３に示す領域３２内だけでなく、ＣＲＴ１５の表示画面全体を入力角度を決定するための範囲として利用者に使用させることができる。したがって、情報再生装置１０は、例えば、再生映像と領域３２とをＣＲＴ１５の表示画面上に同時に表示する結果として、領域３２がカーソルの移動領域としては小さく、領域３２上でカーソルを正確に移動させることが利用者にとって困難であったとしても、ＣＲＴ１５の表示画面全体においてカーソルを移動させて入力角度を決定することができるので、マウス１９によるコマ送り又はコマ戻しの操作を利用者に容易に行わせることができる。
【００５４】
また、情報再生装置１０は、マウス１９による入力角度に対応付けられたコマ送り又はコマ戻しのコマ数を１周コマ数の設定によって利用者に変更させることができるので、操作性をより向上することができる。
【００５５】
また、情報再生装置１０は、デコーダからヘッダー情報を受け取る構造を設けることによって、再生されているＭＰＥＧのフレームがＩフレーム、Ｂフレーム及びＰフレームの何れであるかということと、マウス１９による入力状態とをともに図３に示す図形によって表示するようになっていても良い。例えば、情報再生装置１０は、再生されているＭＰＥＧのフレームがＩフレーム、Ｂフレーム及びＰフレームの何れであるかということを図３に示す図形の色によって表示するようになっていても良い。情報再生装置１０は、再生されているＭＰＥＧのフレームがＩフレーム、Ｂフレーム及びＰフレームの何れであるかということと、マウス１９による入力状態とをともに図３に示す図形によって表示するようになっている場合、操作中のフレームがＩフレーム、Ｂフレーム及びＰフレームの何れであるかということを、マウス１９による入力状態とともに利用者に認識させることができる。
【００５６】
なお、情報再生装置１０は、マウス１９による入力角度に応じてコマ送り又はコマ戻しを実行するようになっているが、コマ送りやコマ戻し以外の動作をマウス１９による入力角度に応じて実行するようになっていても良い。例えば、情報再生装置１０は、マウス１９による入力角度に応じてスチル動作を実行するようになっていても良い。
【００５７】
また、情報再生装置１０は、図３に示す領域３３内の図形の形状及び色の変化によってマウス１９による入力状態を表示するようになっているが、図３に示す領域３３内の図形の形状及び色の変化以外の図形の形状の変化や色の変化によってマウス１９による入力状態を表示するようになっていても良い。
【００５８】
また、情報再生装置１０は、ＭＰＥＧの映像を再生するようになっているが、ＭＰＥＧ以外の情報を再生するようになっていても良い。
【産業上の利用可能性】
【００５９】
以上のように、本発明に係る入力処理装置は、操作性を従来より向上することができるという効果を有し、ポインティングデバイスによって映像情報や音声情報の変速再生操作ができる情報再生装置等として有用である。
【図面の簡単な説明】
【００６０】
【図１】本発明の一実施の形態における情報再生装置のシステム構成のブロック図
【図２】図１に示す情報再生装置のＧＵＩ用の入力処理プログラムのフロー図
【図３】（ａ）図１に示す情報再生装置のＣＲＴに表示される図形の初期状態を示す説明図  （ｂ）図１に示す情報再生装置のＣＲＴに表示される図形のジョグモードの開始時の状態を示す説明図  （ｃ）図１に示す情報再生装置のＣＲＴに表示される図形のジョグモード中の状態の一例を示す説明図
【図４】図２に示す入力処理プログラムのコマ数決定サブルーチンのフロー図
【図５】図１に示す情報再生装置のマウスによる操作の一例を示す図
【図６】図１に示す情報再生装置におけるマウスによる操作状況とＣＰＵによる判定結果との関係を示す図
【符号の説明】
【００６１】
１０  情報再生装置（入力処理装置）
１３  ＣＰＵ（位置入力手段、入力角度決定手段、処理実行手段、対応付け変更手段）
１５  ＣＲＴ（状態表示手段）
１９  マウス（ポインティングデバイス）
【図１】
2006072745.tif 000004
【図２】
2006072745.tif 000005
【図３】
2006072745.tif 000006
【図４】
2006072745.tif 000007
【図５】
2006072745.tif 000008
【図６】
2006072745.tif 000009